(57)【要約】      （修正有）【課題】新規導入直後またはＲＩＳサーバにＨＩＳ端末からのオーダ情報に合致する撮影条件が記憶されていない場合に、撮影条件設定を支援することのできる条件設定支援装置を提供する。【解決手段】ネットワークに接続されている複数の放射線医用画像診断装置の中の第１放射線医用画像診断装置から、撮影条件設定の支援要求を受信し、複数の放射線医用画像診断装置で実際に使用された複数の撮影条件のデータを記憶し、複数の撮影条件から、第１放射線医用画像診断装置と製造メーカ及び装置種類が同じであって、同じ仕様を有する複数の放射線医用画像診断装置の中の第２放射線医用画像診断装置で実際に使用された一撮影条件を選択し、一撮影条件のデータに基づいて、第１放射線医用画像診断装置に関する推奨撮影条件のデータを発生する推奨条件発生部１５と、発生された推奨撮影条件のデータを、第１放射線医用画像診断装置に送信する。【選択図】図２
2014193193.tif 000002
【特許請求の範囲】
【請求項１】
ネットワークに接続されている複数の放射線医用画像診断装置の中の第１放射線医用画像診断装置から、撮影条件設定の支援要求を受信する受信部と、
前記複数の放射線医用画像診断装置で実際に使用された複数の撮影条件のデータを記憶する記憶部と、
前記複数の撮影条件から、前記第１放射線医用画像診断装置と製造メーカ及び装置種類が同じであって、同じ仕様を有する前記複数の放射線医用画像診断装置の中の第２放射線医用画像診断装置で実際に使用された一撮影条件を選択する選択部と、
前記一撮影条件のデータに基づいて、前記第１放射線医用画像診断装置に関する推奨撮影条件のデータを発生する推奨条件発生部と、
前記発生された推奨撮影条件のデータを、前記第１放射線医用画像診断装置に送信する送信部と、
を具備することを特徴とする条件設定支援装置。
【請求項２】
前記一撮影条件は、
前記第１放射線医用画像診断装置が設置されている病院とは異なる病院に設置されている前記第２放射線医用画像診断装置で実際に使用された撮影条件であること、
を特徴とする請求項１記載の条件設定支援装置。
【請求項３】
前記一撮影条件は、
前記第２放射線医用画像診断装置で実際に使用された複数の撮影条件のうち、最も使用頻度が多い撮影条件であること、
を特徴とする請求項１または請求項２記載の条件設定支援装置。
【請求項４】
前記一撮影条件は、
前記第２放射線医用画像診断装置で実際に使用された複数の撮影条件のうち、最も被曝線量が少ない撮影条件であること、
を特徴とする請求項１または請求項２記載の条件設定支援装置。
【請求項５】
前記一撮影条件は、
前記第１放射線医用画像診断装置が設置されている病院の提携病院に設置された前記第２放射線医用画像診断装置で実際に使用された撮影条件であること、
を特徴とする請求項１記載の条件設定支援装置。
【請求項６】
前記一撮影条件は、
前記第１放射線医用画像診断装置が設置されている病院と同じ地域の病院に設置された前記第２放射線医用画像診断装置で実際に使用された撮影条件であること、
を特徴とする請求項１記載の条件設定支援装置。
【請求項７】
前記一撮影条件は、
前記第１放射線医用画像診断装置が設置されている病院のユーザが読影依頼をしている病院に設置された前記第２放射線医用画像診断装置で実際に使用された撮影条件であること、
を特徴とする請求項１記載の条件設定支援装置。
【請求項８】
前記推奨条件発生部は、前記第１放射線医用画像診断装置に関する推奨撮影条件に含まれる複数のパラメータのうち、少なくとも１つのパラメータの推奨値を、前記一撮影条件に含まれる前記少なくとも１つのパラメータの設定値に、比率を乗算することにより発生すること、
を特徴とする請求項１記載の条件設定支援装置。
【請求項９】
前記第１放射線医用画像診断装置と同じ病院に設置され、前記第１放射線医用画像診断装置と製造メーカ及び装置種類が同じであって、同じ仕様を有する放射線医用画像診断装置以外の第３放射線医用画像診断装置で実際に使用された一撮影条件と、前記第２放射線医用画像診断装置と同じ病院に設置され、前記第３放射線医用画像診断装置と製造メーカ及び装置種類が同じであって、同じ仕様を有する第４放射線医用画像診断装置で実際に使用された一撮影条件とに基づいて前記比率を発生する比率発生部と、
を具備することを特徴とする請求項８記載の条件設定支援装置。
【請求項１０】
前記第３放射線医用画像診断装置で実際に使用された一撮影条件及び前記第４放射線医用画像診断装置で実際に使用された一撮影条件のうち、少なくとも一方は、前記少なくとも一方の放射線医用画像診断装置で実際に使用された複数の撮影条件から、被曝線量に従って選択されること、
を特徴とする請求項９記載の条件設定支援装置。
【請求項１１】
前記第３放射線医用画像診断装置で実際に使用された一撮影条件及び前記第４放射線医用画像診断装置で実際に使用された一撮影条件のうち、少なくとも一方は、前記少なくとも一方の放射線医用画像診断装置で実際に使用された複数の撮影条件から、使用頻度に従って選択されること、
を特徴とする請求項９記載の条件設定支援装置。
【請求項１２】
前記ネットワークに接続されている複数の放射線医用画像診断装置から、前記複数の放射線医用画像診断装置で実際に使用された複数の撮影条件のデータを収集する条件収集部をさらに具備すること、
を特徴とする請求項１乃至請求項１１のうち、いずれか1項記載の条件設定支援装置。
【請求項１３】
前記条件収集部は、予め設定された時間間隔で、前記複数の放射線医用画像診断装置から、前記複数の放射線医用画像診断装置で実際に使用された複数の撮影条件のデータを収集すること、
を特徴とする請求項１２記載の条件設定支援装置。
【請求項１４】
第１病院に設置された第１放射線医用画像診断装置の撮影条件に含まれる複数のパラメータのうち、少なくとも１つのパラメータに関する推奨値を、
第２病院に設置され、前記第１放射線医用画像診断装置と製造メーカ及び装置種類が同じであって、同じ仕様を有する第２放射線医用画像診断装置で実際に使用された一撮影条件に含まれる前記少なくとも１つのパラメータの設定値に、比率を乗算することにより発生する推奨条件発生部と、
前記比率を、前記第１放射線医用画像診断装置と同じ病院に設置され、前記第１放射線医用画像診断装置と製造メーカ及び装置種類が同じであって、同じ仕様を有する放射線医用画像診断装置以外の第３放射線医用画像診断装置で実際に使用された一撮影条件に含まれる前記少なくとも１つのパラメータの設定値と、前記第２放射線医用画像診断装置と同じ病院に設置され、前記第３放射線医用画像診断装置と製造メーカ及び装置種類が同じであって、同じ仕様を有する第４放射線医用画像診断装置で実際に使用された一撮影条件に含まれる前記少なくとも１つのパラメータの設定値と、に基づいて発生する比率発生部と、
を具備することを特徴とする条件設定支援装置。
【発明の詳細な説明】
【技術分野】
【０００１】
本発明の実施形態は、放射線医用画像診断装置の撮影条件設定を支援する条件設定支援装置に関する。
【背景技術】
【０００２】
Ｘ線ＣＴ（Ｃｏｍｐｕｔｅｄ  Ｔｏｍｏｇｒａｐｈｙ）装置やＸ線診断装置等の放射線医用画像診断装置は、被検体を透過したＸ線強度に基づいて、被検体の医用情報を画像で提供する装置であり、診断や治療などの医療行為において、重要な役割を果たしている。ユーザは、Ｘ線画像を視聴することにより、被検体の病状の把握できる。そのため、Ｘ線画像の質を決定付ける要因の１つである撮影条件の設定は、Ｘ線撮影の一連の作業において、重要な作業となる。そこで、大規模な病院は、ＲＩＳ（Ｒａｄｉｏｌｏｇｙ  Ｉｎｆｏｒｍａｔｉｏｎ  Ｓｙｓｔｅｍ；放射線診療情報システム）を導入し、ＲＩＳサーバによる撮影条件の設定を行っている。ＲＩＳサーバは、放射線医用画像診断装置に関する複数の撮影条件のデータを記憶しており、ＨＩＳ（Ｈｏｓｐｉｔａｌ  Ｉｎｆｏｒｍａｔｉｏｎ  Ｓｙｓｔｅｍ；病院情報システム）端末から受け取った被検体のＸ線撮影に関するオーダ情報に基づいて、過去に使用された複数の撮影条件から特定の撮影条件を選択する。そして、ＲＩＳサーバは、特定の撮影条件に関するデータを、ＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ）規格のＭＷＭ（Ｍｏｄａｌｉｔｙ  Ｗｏｒｋｌｉｓｔ  Ｍａｎａｇｅｍｅｎｔ；モダリティワークリスト管理）の方法に従って、放射線医用画像診断装置に送信する。放射線医用画像診断装置は、ＲＩＳサーバから送信された撮影条件に関するデータに基づいて、撮影条件を設定する。このように、ＲＩＳサーバ導入により、放射線医用画像診断装置は、オーダ情報に基づいて適切な撮影条件を自動的に設定することができる。そのため、撮影条件の設定ミスによる再撮影の頻度が低減した。
【０００３】
しかしながら、上述のＲＩＳサーバによるオーダ情報に基づいた撮影条件の自動選択機能は、一定期間、使用された放射線医用画像診断装置が利用できる機能であり、新規に導入された放射線医用画像診断装置は、利用することができない。また、撮影条件の自動選択機能は、ＲＩＳサーバにオーダ情報に合致する撮影条件が記憶されていない場合においても、利用することができない。そのため、放射線医用画像診断装置の新規導入直後及びＲＩＳサーバにオーダ情報に合致する撮影条件が記憶されていない場合において、ユーザは、手動で撮影条件を設定する必要があり、撮影に時間がかかるという問題がある。
【先行技術文献】
【特許文献】
【０００４】
【特許文献１】特開２００７−１６７６３４号公報
【発明の概要】
【発明が解決しようとする課題】
【０００５】
目的は、新規導入直後またはＲＩＳサーバにＨＩＳ端末からのオーダ情報に合致する撮影条件が記憶されていない場合において、放射線医用画像診断装置の撮影条件設定を支援することのできる条件設定支援装置を提供することにある。
【課題を解決するための手段】
【０００６】
本実施形態による条件設定支援装置は、ネットワークに接続されている複数の放射線医用画像診断装置の中の第１放射線医用画像診断装置から、撮影条件設定の支援要求を受信する受信部と、前記複数の放射線医用画像診断装置で実際に使用された複数の撮影条件のデータを記憶する記憶部と、前記複数の撮影条件から、前記第１放射線医用画像診断装置と製造メーカ及び装置種類が同じであって、同じ仕様を有する前記複数の放射線医用画像診断装置の中の第２放射線医用画像診断装置で実際に使用された一撮影条件を選択する選択部と、前記一撮影条件のデータに基づいて、前記第１放射線医用画像診断装置に関する推奨撮影条件のデータを発生する推奨条件発生部と、前記発生された推奨撮影条件のデータを、前記第１放射線医用画像診断装置に送信する送信部と、を具備することを特徴とする。
【図面の簡単な説明】
【０００７】
【図１】第１の実施形態に係る条件設定支援装置を適用したクラウドシステムの一例を示す構成図である。
【図２】第１の実施形態に係る条件設定支援装置の構成の一例を示すブロック図である。
【図３】第１の実施形態に係る条件設定支援装置の記憶部が記憶する検査情報テーブルの一例を示した図である。
【図４】第１の実施形態に係る条件設定支援装置の記憶部が記憶する撮影条件テーブルの一例を示した図である。
【図５】第１の実施形態に係る条件設定支援装置の記憶部が記憶する配信用テーブルの一例を示した図である。
【図６】第１の実施形態に係る条件設定支援装置の第１推奨条件発生処理を説明するためのフローチャート図である。
【図７】第２の実施形態に係る条件設定支援装置の構成の一例を示すブロック図である。
【図８】第２推奨条件発生処理における選択部の撮影条件選択処理を説明するための説明図である。
【図９】第２の実施形態に係る条件設定支援装置の第２推奨条件発生処理を説明するためのフローチャート図である。
【図１０】第２の実施形態に係る条件設定支援装置１を適用したクラウドシステムの一例を示す構成図である。
【発明を実施するための形態】
【０００８】
以下、図面を参照しながら第１及び第２の実施形態に係る条件設定支援装置を説明する。なお、以下の説明において、略同一の機能及び構成を有する構成要素については、同一符号を付し、重複説明は必要な場合にのみ行う。
【０００９】
第１及び第２の実施形態に係る条件設定支援装置は、単体であっても、他の装置、例えば、サーバ装置や放射線医用画像診断装置と組み込ませた形態のいずれでも適用できる。以下、第１及び第２の実施形態では、説明を簡単にするために、条件設定支援装置が独立した装置の場合を例に説明する。
【００１０】
（第１の実施形態）  
図１は、第１の実施形態に係る条件設定支援装置１を適用したクラウドシステムの一例を示す構成図である。クラウドシステムは、クラウドサーバ装置と作業用パソコンとで構成される。クラウドサーバ装置は、インターネット上のサーバ装置である。クラウドシステムは、ユーザが、作業用パソコンや病院内のネットワーク上にあるサーバではなく、クラウドサーバ装置を利用して、何らかの処理をするシステム形態である。したがって、クラウドサーバ装置と作業用パソコンとは、ネットワーク、典型的にはインターネットを介してファイルサーバと相互にデータ通信が可能である。
【００１１】
第１及び第２の実施形態に係る条件設定支援装置１は、クラウドシステムにおけるクラウドサーバ装置である。第１の実施形態に係る条件設定支援装置１を適用したクラウドシステムにおいて、複数の病院にそれぞれ設置されている複数のＲＩＳ（Ｒａｄｉｏｌｏｇｙ  Ｉｎｆｏｒｍａｔｉｏｎ  Ｓｙｓｔｅｍ；放射線診療情報システム）サーバは、インターネットを介して、第１の実施形態に係る条件設定支援装置１に対して放射線医用画像診断装置に関する撮影条件設定の支援要求を送信する。第１の実施形態に係る条件設定支援装置１は、支援要求に対応する処理を実行し、その結果を支援要求元に送信する。第１の実施形態に係る条件設定支援装置１とＲＩＳサーバとの間で行われるデータ通信は、例えば、ＤＩＣＯＭ（Ｄｉｇｉｔａｌ  Ｉｍａｇｉｎｇ  ａｎｄ  Ｃｏｍｍｕｎｉｃａｔｉｏｎｓ  ｉｎ  Ｍｅｄｉｃｉｎｅ）規格に準拠している。
【００１２】
図２は、第１の実施形態に係る条件設定支援装置１の構成の一例を示すブロック図である。図２に示すように、第１の実施形態に係る条件設定支援装置１は、通信インターフェース部１０と、記憶部１２と、条件収集部１１と、処理部２と、を有する。
【００１３】
通信インターフェース部１０は、第１の実施形態に係る条件設定支援装置１が通信端局やインターネットに接続されるためのインターフェースアダプターを有する。通信インターフェース部１０は、第１の実施形態に係る条件設定支援装置１がネットワークを介してＲＩＳサーバと相互にデータ通信を行うための外部インターフェースである。通信インターフェース部１０は、システム制御部１３の制御に従って、ネットワークに接続されている複数の装置それぞれへのデータの送信処理及び複数の装置それぞれからのデータの受信処理を実行する。
【００１４】
通信インターフェース部１０がＲＩＳサーバから受信するデータの一例について、ＲＩＳサーバを設置する病院Ａの院内システムを例に図２を参照して説明する。図２に示すように、病院Ａの院内システムにおいて、ＲＩＳサーバ、ＨＩＳ（Ｈｏｓｐｉｔａｌ  Ｉｎｆｏｒｍａｔｉｏｎ  Ｓｙｓｔｅｍ；病院情報システム）端末、及び複数の放射線医用画像診断装置等は、ネットワーク、典型的には、ＬＡＮ（Ｌｏｃａｌ  Ａｒｅａ  Ｎｅｔｗｏｒｋ）を介して相互に接続され、相互にデータ通信が可能である。
【００１５】
ＨＩＳ端末は、ユーザから患者情報及び検査予約オーダ情報を受け付けるための端末である。患者情報は、例えば、性別、年齢、及び体型等が含まれる。検査予約オーダ情報には、検査情報が含まれる。検査情報は、撮影部位及び姿勢等である。ＨＩＳ端末は、これらの情報を、ＲＩＳサーバに送信する。ＲＩＳサーバは、複数の撮影条件に関するデータを記憶する。ＲＩＳサーバは、ＨＩＳ端末から送信された検査情報に基づいて、複数の放射線医用画像診断装置から適切な放射線医用画像診断装置を選択する。
【００１６】
そして、選択された放射線医用画像診断装置に関する撮影条件がＲＩＳサーバに記憶されている場合において、ＲＩＳサーバは、選択した放射線医用画像診断装置に関するモダリティ情報とＨＩＳ端末からの患者情報とに基づいて、複数の撮影条件から適切な撮影条件を選択する。ＲＩＳサーバは、放射線医用画像診断装置に選択した撮影条件のデータを送信する。送信先の放射線医用画像診断装置は、ＲＩＳサーバから送信された撮影条件を確認する。撮影条件の調整が必要な場合において、ユーザは、放射線医用画像診断装置の入力部（図示しない）を介して、撮影条件を調整し、撮影条件を設定する。ユーザは、設定された撮影条件の下、患者の撮影を実行する。なお、ユーザは、放射線医用画像診断装置の入力部（図示しない）を介して撮影条件を手動で設定することができる。放射線医用画像診断装置は、実際に使用した撮影条件のデータをモダリティ情報とともにＲＩＳサーバに送信する。ＲＩＳサーバは、撮影条件のデータに対して、患者情報及び検査情報を関連付けて記憶する。
【００１７】
また、選択した放射線医用画像診断装置に関する撮影条件がＲＩＳサーバに記憶されていない場合、または、ＨＩＳ端末からの検査情報及び患者情報等に合致する撮影条件がＲＩＳサーバに記憶されていない場合において、ＲＩＳサーバは、撮影条件設定の支援要求を条件設定支援装置１に送信する。この時、撮影条件設定の支援要求には、選択した放射線医用画像診断装置に関するモダリティ情報、ＨＩＳ端末から患者情報及び検査情報等が含まれる。
【００１８】
通信インターフェース部１０は、後述のシステム制御部１３の制御に従って、ＲＩＳサーバから送信された撮影条件設定の支援要求を受信する。そして、通信インターフェース部１０は、システム制御部１３の制御に従って、後述の処理部２により発生された推奨撮影条件のデータを支援要求先のＲＩＳサーバに送信する。
【００１９】
条件収集部１１は、システム制御部１３による制御に従い、条件設定支援装置１とネットワークを介して接続されている複数のＲＩＳサーバ各々に記憶されている放射線医用画像診断装置で実際に使用された撮影条件に関連するデータを収集する。撮影条件に関連するデータは、撮影条件のデータ、患者情報、検査情報、及びモダリティ情報である。撮影条件とは、例えば、管電流、管電圧、及び撮影時間等の条件である。患者情報とは、例えば、性別、年齢、及び体型等に関する情報である。検査情報とは、例えば、撮影部位及び撮影方法等に関する情報である。モダリティ情報とは、例えば、製造メーカ、装置種類、装置仕様、モダリティが設置されている病院名、及びモダリティが設置されている地域等に関する情報である。なお、条件収集部１１は、モダリティが設置されている病院名及びモダリティが設置されている地域に関する情報に代わり、収集先のＲＩＳサーバのネットワーク上のアドレスを収集してもよい。
【００２０】
条件収集部１１は、予め設定された時間間隔毎に、ネットワークを介してＲＩＳサーバ各々に自動的にアクセスし、ＲＩＳサーバ各々で更新された撮影条件に関する情報を収集する。収集する時間間隔は、ユーザ指示に従って、適宜変更が可能である。なお、ユーザは、条件設定支援装置１とネットワークを介して接続されている端末を操作することにより、条件設定支援装置１の設定等を変更することができる。また、条件設定支援装置１は、その設定変更等の入力をユーザから受け付けるための入力部を備えてもよい。
【００２１】
記憶部１２は、半導体記憶素子であるＦｌａｓｈ  ＳＳＤ（Ｓｏｌｉｄ  Ｓｔａｔｅ  Ｄｉｓｋ）などの半導体記憶装置及びＨＤＤ（Ｈａｒｄ  Ｄｉｓｋ  Ｄｒｉｖｅ）等である。記憶部１２は、複数の管理テーブルのデータを記憶する。複数の管理テーブルとは、検査情報テーブルのデータ、撮影条件テーブルのデータ、及び配信用テーブルのデータである。各管理テーブルについて、図３乃至図５を参照して説明する。
【００２２】
図３は、条件設定支援装置１の記憶部１２が記憶する検査情報テーブルの一例を示した図である。図３に示すように、検査情報テーブルは、複数の検査コードに対して、複数の患者情報と複数の検査情報と複数のモダリティ情報とをそれぞれ対応付けた対応表である。患者情報は、例えば、性別及び年齢等の項目である。検査情報は、例えば、部位及び撮影方法等の項目である。モダリティ情報は、例えば、モダリティコード、施設コード、及び地域コード等の項目である。モダリティコードは、モダリティの製造メーカ、装置種類、及び装置の仕様等を示す。施設コードは、モダリティが設置されている病院等を示すコードである。地域コードは、モダリティが設置されている病院の所在地を示すコードである。
【００２３】
図４は、条件設定支援装置１の記憶部１２が記憶する撮影条件テーブルの一例を示した図である。図４に示すように、撮影条件テーブルは、複数の検査コードに対して、複数の撮影条件の項目をそれぞれ対応付けた対応表である。撮影条件は、例えば、管電圧、管電流、及び照射時間等である。
【００２４】
図５は、条件設定支援装置１の記憶部１２が記憶する配信用テーブルの一例を示した図である。図５に示すように、配信用テーブルは、複数の条件コードに対して、複数の撮影条件の項目と複数のユーザ設定項目とをそれぞれ対応付けた対応表である。複数のユーザ設定項目は、例えば、地域コード、施設コード、及び利用回数等である。これらのユーザ設定項目のうち、地域コード及び施設コードは、検査情報テーブルの検査コードに対して対応付けされている複数の項目から、予めユーザにより選択された項目である。システム制御部１３により、ユーザにより指示された項目が検査情報テーブルから選択される。そして、選択された検査コードに基づいて、撮影条件のデータと対応付けされ、配信用テーブルに記憶される。複数のユーザ設定項目のうち、利用回数は、ユーザにより指定された検査情報テーブルの項目に対して、統計処理を実行した結果である。例えば、図５の示した配信用テーブルの条件「２」において、利用回数「５」は、地域コードが「Ｌ」で施設コードが「Ａ」の病院に配置されているモダリティコード「ＣＴ−１」の装置に関する撮影条件（管電圧「１０」、管電流「２０」、及び照射時間「３０」）が、５回使用されたことを示している。ユーザ設定項目は、ユーザ指示に従って、適宜変更が可能である。なお、ユーザは、条件設定支援装置１とネットワークを介して接続されている端末を操作することにより、ユーザ設定項目の選択及び変更をすることができる。また、条件設定支援装置１は、ユーザ設定項目の選択及び変更の入力をユーザから受け付けるための入力部を備えてもよい。
【００２５】
システム制御部１３は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ  Ｐｒｏｇｒａｍｍａｂｌｅ  Ｇａｔｅ  Ａｒｒａｙ）などの集積回路、ＣＰＵ（Ｃｅｎｔｒａｌ  Ｐｒｏｃｅｓｓｉｎｇ  Ｕｎｉｔ）、メモリ回路などを有する。システム制御部１３は、ＲＩＳサーバから、通信インターフェース部１０を介して入力された情報を受け取り、一時的にメモリ回路に入力情報を記憶する。システム制御部１３は、通信インターフェース部１０で受信した、ＲＩＳサーバからの撮影条件設定の支援要求に基づいて、各部を制御する。
【００２６】
処理部２は、第１推奨条件発生機能を実行する。第１推奨条件発生機能は、撮影条件設定の支援要求元の放射線医用画像診断装置の推奨撮影条件を、支援要求元の放射線医用画像診断装置と製造メーカ及び装置種類が同じであって、同じ仕様を有する放射線医用画像診断装置で実際に使用された一撮影条件に基づいて発生する機能である。第１推奨条件発生機能に従う処理（以下、第１推奨条件発生処理）は、処理部２を構成する選択部１４と推奨条件発生部１５とにより実行される。
【００２７】
選択部１４は、上述で説明した処理部２の第１推奨条件発生処理において、支援要求元の放射線医用画像診断装置と製造メーカ及び装置種類が同じであって、同じ仕様を有する放射線医用画像診断装置で実際に使用された撮影条件（以下、参照撮影条件と呼ぶ）が複数ある場合において、複数の参照撮影条件から、予め設定された選択条件に従って、一撮影条件を選択する。選択条件は、撮影条件、患者条件、検査条件、モダリティ条件、統計条件、及びユーザ条件である。
【００２８】
撮影条件には、「被曝線量」等がある。例えば、選択部１４は、複数の参照撮影条件から、被曝線量が最も少ない参照撮影条件を選択する。また、選択部１４は、複数の参照撮影条件から、予め設定されていた被曝線量よりも被曝線量が少ない参照撮影条件を選択する。
【００２９】
患者条件には、「被検体の年齢」、「被検体の体型」、「被検体の性別」等がある。例えば、選択部１４は、複数の参照撮影条件から、支援要求元の放射線医用画像診断装置でＸ線撮影する被検体の年齢、被検体の体型、及び被検体の性別のうち、少なくとも１項目に該当する参照撮影条件を選択する。
【００３０】
検査条件には、「撮影方法」、「撮影部位」等がある。例えば、選択部１４は、複数の参照撮影条件から、支援要求元の放射線医用画像診断装置におけるＸ線の撮影方法に該当する参照撮影条件を選択する。また、選択部１４は、複数の参照撮影条件から、支援要求元の放射線医用画像診断装置でＸ線撮影する部位に該当する参照撮影条件を選択する。
【００３１】
モダリティ条件には、「放射線医用画像診断装置が設置されている病院名」、「放射線医用画像診断装置が設置されている病院が所属する地域」等がある。例えば、選択部１４は、複数の参照撮影条件から、支援要求元の放射線医用画像診断装置が設置されている病院の提携先の病院に設置されている放射線医用画像診断装置で実際に使用された参照撮影条件を選択する。また、選択部１４は、複数の参照撮影条件から、支援要求元の放射線医用画像診断装置が設置されている病院と同じ地域の病院に設置されている放射線医用画像診断装置で実際に使用された参照撮影条件を選択する。
【００３２】
統計条件には、「利用回数」等がある。例えば、選択部１４は、複数の参照撮影条件から、利用回数が最も多い参照撮影条件を選択する。また、選択部１４は、複数の参照撮影条件から、予め設定されていた利用回数よりも利用回数が多い参照撮影条件を選択する。
【００３３】
ユーザ条件は、「提携先」、「読影先」等がある。例えば、選択部１４は、複数の参照撮影条件から、支援要求元の放射線医用画像診断装置が設置されている病院と提携関係のある病院に設置されている放射線医用画像診断装置で実際に使用された参照撮影条件を選択する。また、選択部１４は、複数の参照撮影条件から、支援要求元の放射線医用画像診断装置で撮影された医用画像の読影依頼をしている病院に設置されている放射線医用画像診断装置で実際に使用された参照撮影条件を選択する。
【００３４】
これらの選択条件には、ユーザ指示に従って、優先度が設定されている。選択部１４は、記憶部１２に記憶されている配信用テーブルを参照し、選択条件とその優先度に従って、複数の参照撮影条件から一撮影条件を選択する。なお、優先度は、ユーザ指示に従って適宜変更が可能である。
【００３５】
推奨条件発生部１５は、上述で説明した処理部２の第１推奨条件発生処理において、選択部１４により選択された一撮影条件のデータに基づいて、支援要求元の放射線医用画像診断装置に関する推奨撮影条件のデータを発生する。例えば、推奨条件発生部１５は、支援要求元の放射線医用画像診断装置に関する推奨撮影条件に含まれる管電圧、管電流、及び照射時間のうち、少なくとも１つのパラメータの推奨値を、選択部１４により選択された一撮影条件に含まれる管電圧、管電流、及び照射時間のうち、少なくとも１つの設定値に、予め設定されていた係数を乗算することにより発生する。係数は、ユーザ指示に従って適宜変更が可能である。
【００３６】
図６は、第１の実施形態に係る条件設定支援装置１の第１推奨条件発生処理を説明するためのフローチャート図である。なお、ネットワークを介して第１の実施形態に係る条件設定支援装置１に接続されている第１病院のＲＩＳサーバから第１放射線医用画像診断装置に関する撮影条件の取得要求が第１の実施形態に係る条件設定支援装置１に送信されたとする。
【００３７】
（ステップＳ１１：支援要求を受信）  
通信インターフェース部１０により、第１病院に設置され、ネットワークを介して条件設定支援装置１に接続されたＲＩＳサーバから、特定の放射線医用画像装置の撮影条件設定の支援要求を受信する。
【００３８】
（ステップＳ１２：参照撮影条件を特定）  
選択部１４により、配信用テーブルが参照され、支援要求に含まれる特定の放射線医用画像診断装置に対応するモダリティコードに対応する複数の参照撮影条件が特定される。
【００３９】
（ステップＳ１３：一撮影条件を選択）  
選択部１４により、複数の参照撮影条件から、予め設定された選択条件に従って、一撮影条件が選択される。
【００４０】
（ステップＳ１４：推奨撮影条件を発生）  
選択部１４により選択された一撮影条件に基づいて、推奨条件発生部１５により推奨撮影条件が発生される。
【００４１】
（ステップＳ１５：支援要求元に送信）  
発生された推奨撮影条件が、通信インターフェース部１０により、支援要求元の第１病院のＲＩＳサーバに送信される。
【００４２】
（第２の実施形態）  
次に、第２の実施形態に係る条件設定支援装置１を説明する。なお、第１の実施形態に係る条件設定支援装置１の説明との差分のみ説明する。
【００４３】
図７は、第２の実施形態に係る条件設定支援装置１の構成の一例を示すブロック図である。第１の実施形態と第２の実施形態との差分は、処理部２の構成にある。第１の実施形態に係る条件設定支援装置１における処理部２は、選択部１４と推奨条件発生部１５とで構成される。一方第２の実施形態に係る条件設定支援装置１における処理部２は、選択部１４と、比率発生部１６と、推奨条件発生部１５とで構成される。すなわち、第２の実施形態では、比率発生部１６が構成要素に追加される。以下、第２の実施形態に係る条件設定支援装置１の処理部２について、図面を参照して説明する。
【００４４】
第２の実施形態に係る処理部２は、第２推奨条件発生機能を実行する。第２推奨条件発生機能は、第１病院に設置された第１放射線医用画像診断装置の推奨撮影条件を、第２病院に設置され、第１放射線医用画像診断装置と製造メーカ及び装置種類が同じであって、同じ仕様を有する第２放射線医用画像診断装置で実際に使用された一撮影条件と、第１病院に設置され、第１放射線医用画像診断装置と製造メーカ及び装置種類が同じであって、同じ仕様を有する放射線医用画像診断装置以外の第３放射線医用画像診断装置に関する一撮影条件と、第２病院に設置され、第３放射線医用画像診断装置と製造メーカ及び装置種類が同じであって、同じ仕様を有する第４放射線医用画像診断装置で実際に使用された一撮影条件とに基づいて発生する機能である。第２推奨条件発生機能に従う処理（以下、第２推奨条件発生処理）は、処理部２を構成する選択部１４と、比率発生部１６と、推奨条件発生部１５とにより実行される。第１病院は、第１の実施形態に係る条件設定支援装置１に、撮影条件の取得要求を送信した施設である。第２病院は、第２放射線医用画像診断装置と第４放射線医用画像診断装置とを有する施設のうち、後述の選択部１４により、予め設定された条件に従って選択された施設である。
【００４５】
選択部１４は、上述で説明した処理部２の第２推奨条件発生処理において、第２病院に設置された第２放射線医用画像診断装置に関する撮影条件が複数ある場合において、第２病院に設置された第２放射線医用画像診断装置に関する一撮影条件を、第２放射線医用画像診断装置で実際に使用された複数の撮影条件から、予め設定された条件に従って選択する。また、選択部１４は、第１病院に設置された第３放射線医用画像診断装置に関する撮影条件が複数ある場合において、第１病院に設置された第３放射線医用画像診断装置に関する一撮影条件を、第３放射線医用画像診断装置で実際に使用された複数の撮影条件から、予め設定された条件に従って選択する。また、選択部１４は、第２病院に設置された第４放射線医用画像診断装置に関する撮影条件が複数ある場合において、第２病院に設置された第４放射線医用画像診断装置に関する一撮影条件を、第４放射線医用画像診断装置で実際に使用された複数の撮影条件から、予め設定されたモードに従って選択する。選択部１４による、これらの選択処理を撮影条件選択処理と呼ぶ。
【００４６】
図８は、第２推奨条件発生処理における選択部１４の撮影条件選択処理を説明するための説明図である。図８は、第２の実施形態に係る条件設定支援装置１を適用したクラウドシステムの一例を示している。図８に示すように、条件設定支援装置１に対して、病院Ａ、病院Ｂ、病院Ｃ、及び病院Ｄにそれぞれ設置されている複数のＲＩＳサーバが接続されている。病院ＡのＲＩＳサーバから、病院Ａに新規に導入された放射線医用画像診断装置「ＣＴ１Ａ」の撮影条件設定の支援要求が条件設定支援装置１に送信されたとする。
【００４７】
したがって、病院Ａが上述の処理における第１病院である。また、放射線医用画像診断装置「ＣＴ１Ａ」が上述の処理における第１放射線医用画像診断装置である。また、支援要求元の放射線医用画像診断装置「ＣＴ１Ａ」以外の放射線医用画像診断装置である、放射線医用画像診断装置「Ｘ２Ａ」と放射線医用画像診断装置「ＣＴ３Ａ」とが、上述の処理における第３放射線医用画像診断装置の候補である。放射線医用画像診断装置「ＣＴ１Ａ」、「ＣＴ１Ｂ」、「ＣＴ１Ｃ」及び「ＣＴ１Ｄ」はＸ線ＣＴ装置である。放射線医用画像診断装置「ＣＴ１Ｂ」、「ＣＴ１Ｃ」及び「ＣＴ１Ｄ」」は、放射線医用画像診断装置「ＣＴ１Ａ」と製造メーカ及び装置種類が同じであって、同じ仕様を有する。放射線医用画像診断装置「Ｘ２Ａ」、「Ｘ２Ｂ」、「Ｘ２Ｃ」、及び「Ｘ２Ｄ」はＸ線診断装置である。放射線医用画像診断装置「Ｘ２Ｂ」、「Ｘ２Ｃ」、及び「Ｘ２Ｄ」は、放射線医用画像診断装置「Ｘ２Ａ」と製造メーカ及び装置種類が同じであって、同じ仕様を有する。放射線医用画像診断装置「ＣＴ３Ａ」、「ＣＴ３Ｂ」及び「ＣＴ３Ｄ」はＸ線ＣＴ装置である。放射線医用画像診断装置「ＣＴ３Ｂ」及び「ＣＴ３Ｄ」は、放射線医用画像診断装置「ＣＴ３Ａ」と製造メーカ及び装置種類が同じであって、同じ仕様を有する。したがって、放射線医用画像診断装置「Ｘ２Ｂ」、「Ｘ２Ｃ」、「Ｘ２Ｄ」、「ＣＴ３Ｂ」、及び「ＣＴ３Ｄ」が上述の処理における第４放射線医用画像診断装置の候補である。そして、病院Ｂ，病院Ｃ、及び病院Ｄは、それぞれ複数の第３放射線医用画像診断装置の候補のうち、少なくとも１つを設置している。そのため、病院Ｂ，病院Ｃ、及び病院Ｄが上述の処理における第２病院の候補である。
【００４８】
選択部１４による撮影条件選択処理のモードには、複数の第２病院候補から第２病院を優先して選択処理を行う第１モードと、複数の第２放射線医用画像診断装置の候補から第２放射線医用画像診断装置を優先して選択処理を行う第２モードと、複数の第３放射線医用画像診断装置の候補から第３放射線医用画像診断装置を優先して選択処理を行う第３モードと、複数の第４放射線医用画像診断装置の候補から第４放射線医用画像診断装置を優先して選択処理を行う第４モードとがある。選択部１４による撮影条件選択処理は、上述の４つのモードを組み合わせることにより実行される。
【００４９】
第１モードにおいて、選択部１４は、複数の第２病院候補から、第１病院との提携関係に基づいて、第２病院を選択する。図８において、病院Ａと提携関係のある病院は病院Ｂである。そのため、選択部１４は、複数の第２病院候補から、第２病院として病院Ｂを選択する。したがって、病院Ｂに設置されている放射線医用画像診断装置「ＣＴ１Ｂ」が第２放射線医用画像診断装置となる。病院Ｂに複数の第２放射線医用画像診断装置の候補が設置されている場合は、後述の第３モードまたは第４モードにより、第３放射線医用画像診断装置と第４放射線医用画像診断装置とが選択される。なお、選択部１４は、複数の第２病院候補から、第１病院と同じ地域の病院を、第２病院として選択してもよい。同じ地域とは、例えば、条例等でＸ線撮影の指針が決められている都道府県及び市町村区等である。
【００５０】
第２モードにおいて、選択部１４は、複数の第２放射線医用画像診断装置の候補から、撮影条件の利用回数に基づいて、第２放射線医用画像診断装置を選択する。図８において、複数の第２放射線医用画像診断装置のうち、病院Ｄに設置されている放射線医用画像診断装置「ＣＴ１Ｄ」が最も利用回数の多い撮影条件を有する。そのため、選択部１４は、数の第２放射線医用画像診断装置の候補から、第２放射線医用画像診断装置として、放射線医用画像診断装置「ＣＴ１Ｄ」を選択する。したがって、放射線医用画像診断装置「ＣＴ１Ｄ」を設置する病院Ｄが第２病院となる。病院Ｄに複数の第２放射線医用画像診断装置の候補が設置されている場合は、後述の第３モードまたは第４モードにより、第３放射線医用画像診断装置と第４放射線医用画像診断装置とが選択される。なお、選択部１４は、複数の第２放射線医用画像診断装置の候補から、被曝線量に基づいて、第２放射線医用画像診断装置を選択してもよい。この場合、例えば、選択部１４は、複数の第２放射線医用画像診断装置の候補から、最も被曝線量の少ない撮影条件を有する第２放射線医用画像診断装置の候補を第２放射線医用画像診断装置として選択する。また、選択部１４は、複数の第２放射線医用画像診断装置の候補から、被検体情報に基づいて、第２放射線医用画像診断装置を選択してもよい。被検体情報とは、例えば、被検体の年齢、被検体の体型、及び被検体の性別等である。例えば、選択部１４は、複数の第２放射線医用画像診断装置の候補から、被検体の体型が合致する撮影条件を有する第２放射線医用画像診断装置の候補を第２放射線医用画像診断装置として選択する。
【００５１】
第３モードにおいて、選択部１４は、複数の第３放射線医用画像診断装置の候補から、第１放射線医用画像診断装置の製造メーカ及び装置種類の少なくとも一方に基づいて、第３放射線医用画像診断装置を選択する。図８において、複数の第３放射線医用画像診断装置のうち、放射線医用画像診断装置「ＣＴ３Ａ」は、放射線医用画像診断装置「ＣＴ１Ａ」と同じ装置種類である。そのため、選択部１４は、複数の第３放射線医用画像診断装置の候補から、第３放射線医用画像診断装置として、放射線医用画像診断装置「ＣＴ３Ａ」を選択する。放射線医用画像診断装置「ＣＴ３Ａ」と製造メーカ及び装置種類が同じであって、同じ仕様を有する放射線医用画像診断装置が複数の病院に設置されている場合は、前述の第１モードまたは第２モード、または後述の第４モードにより、第２病院、第２放射線医用画像診断装置、及び第４放射線医用画像診断装置が選択される。
【００５２】
第４モードにおいて、まず、選択部１４は、複数の第４放射線医用画像診断装置の候補から、撮影条件の利用回数に基づいて、第４放射線医用画像診断装置を選択する。図８において、複数の第４放射線医用画像診断装置のうち、病院Ｃに設置されている放射線医用画像診断装置「Ｘ２Ｃ」が最も利用回数の多い撮影条件を有する。そのため、選択部１４は、複数の第４放射線医用画像診断装置の候補から、第４放射線医用画像診断装置として、放射線医用画像診断装置「Ｘ２Ｃ」を選択する。したがって、放射線医用画像診断装置「Ｘ２Ｃ」を設置する病院Ｃが第２病院となる。また、病院Ｃに設置されている放射線医用画像診断装置「ＣＴ１Ｃ」が第２放射線医用画像診断装置となる。また、病院Ａに設置されている放射線医用画像診断装置「Ｘ２Ａ」が第３放射線医用画像診断装置となる。なお、選択部１４は、複数の第４放射線医用画像診断装置の候補から、被曝線量に基づいて、第４放射線医用画像診断装置を選択してもよい。この場合、例えば、選択部１４は、複数の第４放射線医用画像診断装置の候補から、最も被曝線量の少ない撮影条件を有する第４放射線医用画像診断装置の候補を第４放射線医用画像診断装置として選択する。また、選択部１４は、複数の第４放射線医用画像診断装置の候補から、被検体情報に基づいて、第４放射線医用画像診断装置を選択してもよい。被検体情報とは、例えば、被検体の年齢、被検体の体型、及び被検体の性別等である。例えば、選択部１４は、複数の第４放射線医用画像診断装置の候補から、被検体の年齢が合致する撮影条件を有する第４放射線医用画像診断装置の候補を第４放射線医用画像診断装置として選択する。
【００５３】
以上の、選択部１４による撮影条件選択処理の各モードにより、第２放射線医用画像診断装置、第３放射線医用画像診断装置、及び第４放射線医用画像診断装置が選択される。そして、各装置で実際に使用された複数の撮影条件から、利用回数及び被曝線量の少なくとも一方に基づいて、それぞれ一撮影条件が選択部１４により選択される。
【００５４】
比率発生部１６は、上述で説明した処理部２の第２推奨条件発生処理において、第１病院に設置された第３放射線医用画像診断装置に関する一撮影条件と、第２病院に設置された第４放射線医用画像診断装置に関する一撮影条件とに基づいて、比率条件を発生する。比率条件は、第２病院に設置された第４放射線医用画像診断装置の一撮影条件に含まれる管電圧、管電流、及び照射時間のそれぞれの設定値に対する、第１病院に設置された第３放射線医用画像診断装置の一撮影条件に含まれる管電圧、管電流、及び照射時間のそれぞれの管電圧比、管電流比、及び照射時間比である。管電圧比、管電流比、及び照射時間比をまとめて比率条件と呼ぶ。なお、比率条件は、上述の３つのパラメータでなくてもよい。例えば、比率条件は、上述の３つのパラメータのうち、１つまたは２つのパラメータであってもよい。
【００５５】
推奨条件発生部１５は、上述で説明した処理部２の第２推奨条件発生処理において、第１放射線医用画像診断装置と製造メーカ及び装置種類が同じであって、同じ仕様を有する第２放射線医用画像診断装置で実際に使用された一撮影条件に含まれる管電圧、管電流、及び照射時間にそれぞれの設定値に、比率発生部１６で発生された比率条件に含まれる管電圧比、管電流比、及び照射時間比を乗算することにより、第１病院に設置された第１放射線医用画像診断装置に関する推奨撮影条件に含まれる管電圧、管電流、及び照射時間の推奨値を発生する。
【００５６】
以下、選択部１４、比率発生部１６、及び推奨条件発生部１５による第２推奨条件発生処理について図９のフローチャート図を参照して説明するとともに、具体例を、図１０を参照して説明する。
【００５７】
図９は、第２の実施形態に係る条件設定支援装置１の第２推奨条件発生処理を説明するためのフローチャート図である。
【００５８】
（ステップＳ２１：撮影条件の取得要求を受信）  
通信インターフェース部１０により、ネットワークを介して条件設定支援装置１に接続されたＲＩＳサーバから、放射線医用画像装置の撮影条件設定の支援要求が受信される。
【００５９】
（ステップＳ２２：取得要求先のモダリティ構成を特定）
システム制御部１３により、記憶部１２に記憶されている配信用テーブルが参照される。そして、システム制御部１３により、支援要求元の病院のモダリティ構成が特定される。具体的には、第１放射線医用画像診断装置と、第３放射線医用画像診断装置の候補とが特定される。
【００６０】
（ステップＳ２３：撮影条件を選択）  
システム制御部１３により、配信用テーブルと支援要求元の病院に設置されている複数の放射線医用画像診断装置にそれぞれ対応する複数のモダリティコードとに基づいて、選択部１４による撮影条件選択処理により、第２放射線医用画像診断装置で実際に使用された一撮影条件、第３放射線医用画像診断装置で実際に使用された一撮影条件、及び第４放射線医用画像診断装置で実際に使用された一撮影条件が選択される。
【００６１】
（ステップＳ２４：比率条件を発生）  
ステップＳ２３で選択された第３放射線医用画像診断装置で実際に使用された一撮影条件と第４放射線医用画像診断装置で実際に使用された一撮影条件とに基づいて、比率発生部１６により比率条件が発生される。
【００６２】
（ステップＳ２５：推奨撮影条件を発生）  
ステップＳ２３で選択された第２放射線医用画像診断装置で実際に使用された一撮影条件とステップＳ２４で発生された比率条件とに基づいて、第１放射線医用画像診断装置の推奨撮影条件が推奨条件発生部１５により発生される。
【００６３】
そして、選択部１４、比率発生部１６、及び推奨条件発生部１５による上述の第２推奨条件発生処理により発生された第１放射線医用画像診断装置に関する推奨撮影条件が、第２の実施形態に係る条件設定支援装置１から支援要求元の第１病院のＲＩＳサーバに送信される。第１病院のＲＩＳサーバは、推奨撮影条件を第１放射線医用画像診断装置に送信する。ユーザは第１放射線医用画像診断装置にて推奨撮影条件を確認及び調整等を行い、第１放射線医用画像診断装置の撮影条件が設定される。
【００６４】
図９のフローチャート図で説明した第２推奨条件発生処理について、図１０の第２の実施形態に係る条件設定支援装置１を適用したクラウドシステムの一構成例に沿って、具体的に説明する。
【００６５】
図１０は、第２の実施形態に係る条件設定支援装置１を適用したクラウドシステムの一例を示す構成図である。図１０に示すように、条件設定支援装置１に対して、ネットワークを介して病院ＡのＲＩＳサーバ及び病院ＢのＲＩＳサーバが接続されているものとする。病院Ａは、Ｘ線ＣＴ装置「ＣＴ−１Ａ」、Ｘ線ＣＴ装置「ＣＴ−２Ａ」、及びＸ線診断装置「Ｘ−１Ａ」を有し、Ｘ線ＣＴ装置「ＣＴ−１Ａ」が新規に導入されたとする。病院Ｂは、Ｘ線ＣＴ装置「ＣＴ−１Ｂ」、Ｘ線ＣＴ装置「ＣＴ−２Ｂ」を有する。Ｘ線ＣＴ装置「ＣＴ−１Ｂ」は、Ｘ線ＣＴ装置「ＣＴ−１Ａ」と製造メーカ及び装置種類が同じであって、同じ仕様を有する。Ｘ線ＣＴ装置「ＣＴ−２Ｂ」は、Ｘ線ＣＴ装置「ＣＴ−２Ａ」と製造メーカ及び装置種類が同じであって、同じ仕様を有する。
【００６６】
ステップＳ２１で、病院ＡのＲＩＳサーバからＸ線ＣＴ装置「ＣＴ−１Ａ」に関する撮影条件設定の支援要求が通信インターフェース部１０により受信される。第１病院が病院Ａ、第１放射線医用画像診断装置がＸ線ＣＴ装置「ＣＴ−１Ａ」と特定される。  
ステップＳ２２で、システム制御部１３により、第３放射線医用画像診断装置の候補がＸ線ＣＴ装置「ＣＴ−２Ａ」とＸ線診断装置「Ｘ−１Ａ」と特定される。  
ステップＳ２３で、選択部１４により、第２放射線医用画像診断装置としてＸ線ＣＴ装置「ＣＴ−１Ｂ」、第３放射線医用画像診断装置としてＸ線ＣＴ装置「ＣＴ−２Ａ」、第４放射線医用画像診断装置としてＸ線ＣＴ装置「ＣＴ−２Ｂ」が選択される。そして、各装置で実際に使用された複数の撮影条件から、利用回数及び被曝線量の少なくとも一方に基づいて、それぞれ一撮影条件が選択される。選択された撮影条件は、図１０に示した通りである。
【００６７】
ステップＳ２４で、選択部１４により選択されたＸ線ＣＴ装置「ＣＴ−２Ａ」の一撮影条件に含まれる管電圧、管電流、及び照射時間の設定値が、選択部１４により選択されたＸ線ＣＴ装置「ＣＴ−２Ｂ」の一撮影条件に含まれる管電圧、管電流、及び照射時間の設定値でそれぞれ除算されることにより比率条件が、比率発生部１６により発生される。  
ステップＳ２５で、選択部１４により選択されたＸ線ＣＴ装置「ＣＴ−１Ｂ」の一撮影条件に含まれる管電圧、管電流、及び照射時間の設定値に、比率発生部１６で発生された比率条件に含まれる管電圧比、管電流比、及び照射時間比がそれぞれ乗算されることにより支援要求元のＸ線ＣＴ装置「ＣＴ−１Ａ」の推奨撮影条件が発生される。  
以上に述べた第１推奨条件発生機能及び第２推奨条件発生機能を備える条件設定支援装置１によれば、以下の効果を得ることができる。  
第１推奨条件発生機能を備える条件設定支援装置１は、複数の撮影条件に対して、複数のユーザ設定項目をそれぞれ関連付けた配信用テーブルのデータを記憶する。ユーザ設定項目は、複数の患者情報、複数の検査情報、複数のモダリティ情報、及び統計情報からユーザ指示により選択される。患者情報、検査情報、及びモダリティ情報は、ネットワークを介して接続された複数のＲＩＳサーバから条件収集部１１により収集される。統計情報は、例えば、撮影条件の利用回数等であり、収集された情報に対して、統計処理を実行することにより取得できる。条件設定支援装置１は、記憶部１２に記憶された複数の撮影条件から、放射線医用画像診断装置からの撮影条件設定の支援要求に基づいて、支援要求元の放射線医用画像診断装置と製造メーカ及び装置種類が同じであって、同じ仕様を有する放射線医用画像診断装置で実際に使用された一撮影条件を選択することができる。支援要求元の放射線医用画像診断装置と製造メーカ及び装置種類が同じであって、同じ仕様を有する放射線医用画像診断装置で実際に使用された撮影条件が複数ある場合において、選択条件の優先度に従って、複数の撮影条件から一撮影条件を選択することができる。そして、選択された一撮影条件に基づいて、支援要求元の放射線医用画像診断装置の推奨撮影条件発生することができる。選択条件には、例えば、「被曝線量が最も少ない」、「被検体の体型」、「撮影部位」等がある。優先度は、ユーザ指示に従って、適宜変更することができる。すなわち、第１推奨条件発生機能を備える条件設定支援装置１は、撮影条件設定の支援要求元の放射線医用画像診断装置と製造メーカ及び装置種類が同じであって、同じ仕様を有する放射線医用画像診断装置で過去に使用された撮影条件から、ユーザ個々の優先したい項目に応じた一撮影条件に基づいて、支援要求元の放射線医用画像診断装置に関する推奨撮影条件を発生することができる。発生された推奨撮影条件のデータ、支援要求元の放射線医用画像診断装置に送信される。したがって、第１推奨条件発生機能を備える条件設定支援装置１は、新規導入直後またはＲＩＳサーバにＨＩＳ端末からのオーダ情報に合致する撮影条件が記憶されていない場合において、放射線医用画像診断装置の撮影条件設定を支援することができる。
【００６８】
第２推奨条件発生機能を備える条件設定支援装置１は、第１病院に設置された支援要求元の放射線医用画像診断装置の推奨撮影条件を、第２病院に設置され、支援要求元の放射線医用画像診断装置と製造メーカ及び装置種類が同じであって、同じ仕様を有する放射線医用画像診断装置で過去に使用された撮影条件と、比率条件とに基づいて発生することができる。比率条件は、第１病院に設置され、支援要求元の放射線医用画像診断装置以外の放射線医用画像診断装置で実際に使用された一撮影条件と、第２病院に設置され、支援要求元の放射線医用画像診断装置以外の放射線医用画像診断装置と製造メーカ及び装置種類が同じであって、同じ仕様を有する放射線医用画像診断装置で過去に使用された一撮影条件とに基づいて発生される。つまり、比率条件は、第１病院に設置された支援要求元の放射線医用画像診断装置と、第２病院に設置され、支援要求元の放射線医用画像診断装置と製造メーカ及び装置種類が同じであって、同じ仕様を有する放射線医用画像診断装置との間の、病院が異なること、または使用ユーザが異なること等による撮影条件の差を補正するための条件である。したがって、第２推奨条件発生機能は、第１推奨条件発生機能に加えて、病院が異なること、または使用ユーザが異なること等による撮影条件の差を補正する機能を有する。したがって、第２推奨条件発生機能を備える条件設定支援装置１は、新規導入直後またはＲＩＳサーバにＨＩＳ端末からのオーダ情報に合致する撮影条件が記憶されていない場合において、放射線医用画像診断装置の撮影条件設定を支援することができる。
【００６９】
本発明のいくつかの実施形態を説明したが、これらの実施形態は、例として提示したものであり、発明の範囲を限定することは意図していない。これら実施形態は、その他の様々な形態で実施されることが可能であり、発明の趣旨を逸脱しない範囲で、種々の省略、置き換え、変更を行なうことができる。これら実施形態やその変形は、発明の範囲や趣旨に含まれると同様に、特許請求の範囲に記載された発明とその均等の範囲に含まれるものある。例えば、第１及び第２の実施形態に係る条件設定支援装置１は、クラウドサーバ装置としたが、ＲＩＳサーバ及び放射線医用画像診断装置に、条件設定支援装置１の機能が含まれてもよい。
【符号の説明】
【００７０】
１…条件設定支援装置、２…処理部２、１０…通信インターフェース部、１１…条件収集部、１２…記憶部、１３…システム制御部、１４…選択部、１５…推奨条件発生部、１６…比率発生部
【図１】
2014193193.tif 000003
【図２】
2014193193.tif 000004
【図３】
2014193193.tif 000005
【図４】
2014193193.tif 000006
【図５】
2014193193.tif 000007
【図６】
2014193193.tif 000008
【図７】
2014193193.tif 000009
【図８】
2014193193.tif 000010
【図９】
2014193193.tif 000011
【図１０】
2014193193.tif 000012